(57)【要約】      （修正有）【課題】バインダーの綴込み金具の開閉を必要とすることなく、クリアファイルの抜き差しが容易にできるクリアファイルバインダーを提供する。【解決手段】綴込み固定金具１１を備えるバインダー１０と、抜き差し長孔２６を備えるクリアファイル２０とから構成される手段と、該クリアファイルの中央折線位置で二つ折りされた一方のシートに、インデックスを形成する切り離される切り目を有する切り出し線と、中央折線位置で二つ折りにされる折り目と継ぎ目を有する折り出し線とを中央折線位置に沿って連続して設けた手段を採る。【選択図】図１
0003167565.tif 000002
【実用新案登録請求の範囲】
【請求項１】
綴込み固定金具を備えるバインダーと、抜き差し長孔を備えるクリアファイルと、から構成されるクリアファイルバインダーであって、
前記バインダーは、表紙体に装着される底板と、クリアファイルの綴じ孔に挿入する少なくとも二以上設けた綴じ孔ロッドを備える側板と、を略コの字形に成型した綴込み固定金具を備えて成り、
前記クリアファイルは、矩形の合成樹脂製のシートを中央折線位置で二つ折りにして下辺を熱溶着すると共に、上辺と両側の綴込み辺を開放して形成し、
該綴込み辺領域には、前記綴込み固定金具の綴じ孔ロッドが挿入される抜き差し長孔を設け、さらに該周辺にはエンボス加工を施して形成し、
前記抜き差し長孔の長孔経路幅を、綴じ孔の直径寸法に対して幅狭く形成すると共に、
該綴じ孔の下方から綴込み辺の方向に向かってなだらかな曲線を描いて徐々に幅広に形成される開口口に連通したことを特徴とするクリアファイルバインダー。
【請求項２】
前記クリアファイルが、インデックス付きのクリアファイルであって、
該インデックス付きのクリアファイルの中央折線位置で二つ折りされた一方のシートには、
インデックスを形成する切り離される切り目を有する切り出し線と、
中央折線位置で二つ折りにされる折り目と継ぎ目を有する折り出し線と、
を中央折線位置に沿って連続して設けたことを特徴とする請求項１に記載のクリアファイルバインダー。
【考案の詳細な説明】
【技術分野】
【０００１】
本考案は、バインダーの綴込み金具の開閉を必要とすることなく、クリアファイルの抜き差しが容易にできるクリアファイルバインダーに関する。
【背景技術】
【０００２】
従来、書類を整理してバインダーに保管するには、整理しようとする書類に綴じ孔を開け、さらにバインダーの綴込み金具を外し、該綴込み金具に綴じ孔を開けた書類を挿入し、再びバインダーの綴込み金具を閉じて保管しなければならず、また取り出す際には、同様に綴込み金具を開かなければならず、その綴じ込みの開閉作業は、いちいち面倒でもあり、手間を要するものであった。
【０００３】
従来より上記のような問題点を解決しようと、バインダーの綴込み金具を閉じたままの状態で出し入れする綴代に綴孔を設けたクリアファイルが提案されている。例えば、透明シートの２面を張り合わせた書類ホルダーの綴込み部分にパンチ孔に穴しろをつけて、パンチ孔に沿った切り込みをつけることにより、ファイルホルダーの押えつけ具を全て外すことなくクリアファイルに、書類の綴込みを可能にする「透明書類ホルダー」（特許文献１参照）が提案され、公知技術となっている。
【０００４】
しかしながら、上記の「透明書類ホルダー」（特許文献１参照）は、切り込み孔がパンチ孔の径と同じ幅であるためバインダーが傾いたりした場合、バインダーの綴込み金具からクリアファイルがズレ落ちてしまうものであり、またクリアファイルの綴込み辺の反対側が開放されているため、クリアファイル内に収納されている書類が、衝撃や持ち運びの際の傾きによってクリアファイルから飛び出してしまう恐れがあるものであった。
【０００５】
また、合成樹脂製シート板の略中央位置で二つ折りにして、下部辺を溶着形成すると共に、前記シート板の両端部及び上部の間を開放状態に形成したクリアファイルにおいて、前記シート板の一方の端部には、バインダーの綴じ具に係止するための係止用綴じ孔を設け、前記シート板の他方の端部における前記係止用綴じ孔と対応する位置には、前記綴じ具に係止するための切り込み付綴じ孔を設け、該切り込み付綴じ孔には、該綴じ孔の中心から端縁に対して所定角度の切込みが設けられていると共に、該切り込みが端縁まで湾曲形成されている「クリアファイル」（特許文献２参照）が提案され、公知技術となっている。
【０００６】
しかしながら、上記の「クリアファイル」（特許文献２参照）は、切り込みが設けられているシート板の方は捲ることができるが、クリアファイルが重なって綴じ込まれている状態では捲ることができないもので、さらにクリアファイルのもう片方のシート板には、係止用綴じ孔が固定されて設けられているため、クリアファイル自体を引き抜くことができないものであった。
【０００７】
また、書類をファイリングするための用具において、綴じ込み側縁に、閉じ穴につながる切り欠きを設け、この開口部（切り欠き）はファイルのチューブ、リングなどにかけられる構造とした「ファイル用ポケット」（特許文献３参照）が提案され、公知技術となっている。
【０００８】
しかしながら、上記の「ファイル用ポケット」（特許文献３参照）は、開口部（切り欠き）の幅寸法が、リングが挿通する開口部と同じ幅であるためバインダーが傾いたりした場合、リングファイルのリングからクリアファイルがズレ落ちてしまうものであった。
また、図１に示されるカギ状の開口部（切り欠き）における抜き取り作業は、クリアファイルを一旦、上方向に垂直移動させ、さらに横方向に水平移動させなければならず、その作業は煩雑さを伴うものであった。
また、クリアファイルをリングファイルに差し込む作業は、クリアファイルの狭い開口部（切り欠き）をリングファイルのリングに狙いを定めて差し込まなければならないため、細かい動作と煩さを伴うものであった。
また、クリアファイルをリングファイルが開かれた状態で一番上に差し込むことは容易にできるが、クリアファイルが複数重なって綴じられている状態の中にクリアファイルを差し込むことは、クリアファイルの開口部が狭いことから容易にできるものではなかった。
また、図２に示されるリングファイルに設けられるチューブ、リングの形状ならびに配置は、リングファイルの厚み形状に対してクリアファイルを合理的に綴じ込む機能を備えておらず実用性に欠けるものであった。
また、クリアファイルの綴じ込み側縁が、プラスチック、厚紙、金属で形成されてクリアファイルの材質と異なることから、クリアファイルの製造原価がコスト高になる問題があった。
【０００９】
一方、可撓性のシート部材の中心線の右部又は左部にインデックス切り出し領域の近傍にバインダー孔が複数個設けられ、前記中心線で折り畳んでバインダーにファイルされる「インデックス付ファイル」（特許文献４参照）が提案され、公知技術となっている。
【００１０】
しかしながら、上記の「インデックス付ファイル」（特許文４参照）は、インデックス領域を切り出す場合、可撓性のシート部材からカッターなどの道具を使って切り出さなければならず、手間隙と切り出す道具を必要とするものであり、また切り出されるインデックスの形状が手作業で行うため端麗に切り出すことができないものであり、さらに切り出されたインデックスの折り出し線部は、可撓性シートの折曲応力が残留していることから、可撓性シートに対して夫々異なった角度でバラバラに突設するもので、外観的に規則正しい形状で成形されないものであった。
【００１１】
以上のように、従来のクリアファイルの提案は、バインダーの綴込み金具が閉じられている状態での一番上のクリアファイルは容易に出し入れすることはできるが、クリアファイルが重なって綴じ込まれている中のクリアファイルの抜き差しは容易にできないもので、さらに丈夫で見栄えの良いインデックスが、クリアファイルに設けられたインデックス付クリアファイルはこれまでに提供されていなかった。
【００１２】
本出願人は、以上のようなバインダーならびにクリアファイルの現状を鑑み、バインダーの綴込み金具が閉じられている状態でクリアファイルの出し入れができる従来技術は本出願人も知るところであるが、本考案のように、バインダーの綴込み金具が固定されて且つ、閉じられ、さらにクリアファイルが綴じられて重なっている状態であっても、クリアファイルの抜き差しが容易にできるクリアファイルバインダーは、本出願人が知る限りにおいては見当たらないことから、本考案のクリアファイルバインダーの提案に至るものである。
【先行技術文献】
【特許文献】
【００１３】
【特許文献１】実用新案登録第３１４６１２０号公報
【特許文献２】実用新案登録第３０９２３２５号公報
【特許文献３】特開２００９-５６７９０公報
【特許文献４】特開平５-１８５７８９号公報
【考案の概要】
【考案が解決しようとする課題】
【００１４】
本考案は、上記問題点に鑑み、バインダーの綴込み金具の開閉を必要とすることなく、クリアファイルの抜き差しが容易にできるクリアファイルバインダーの提供を図る。
【課題を解決するための手段】
【００１５】
本考案のクリアファイルバインダーは、綴込み固定金具を備えるバインダーと、抜き差し長孔を備えるクリアファイルとから構成されるクリアファイルバインダーであって、前記バインダーは、表紙体に装着される底板と、クリアファイルの綴じ孔に挿入する少なくとも二以上設けた綴じ孔ロッドを備える側板と、を略コの字形に成型した綴込み固定金具を備えて成り、前記クリアファイルは、矩形の合成樹脂製のシートを中央折線位置で二つ折りにして下辺を熱溶着すると共に、上辺と両側の綴込み辺を開放して形成し、該綴込み辺領域には、前記綴込み固定金具の綴じ孔ロッドが挿入される抜き差し長孔を設け、さらに該周辺にはエンボス加工を施して形成し、前記抜き差し長孔の長孔経路幅を、綴じ孔の直径寸法に対して幅狭く形成すると共に、該綴じ孔の下方から綴込み辺の方向に向かってなだらかな曲線を描いて徐々に幅広に形成される開口口に連通した手段を採る。
【００１６】
また本考案のクリアファイルバインダーは、前記クリアファイルが、インデックス付きのクリアファイルであって、該インデックス付きのクリアファイルの中央折線位置で二つ折りされた一方のシートには、インデックスを形成する切り離される切り目を有する切り出し線と、中央折線位置で二つ折りにされる折れ目と継ぎ目を有する折り出し線と、を中央折線位置に沿って連続して設けた手段を採る。
【００１７】
また本考案の綴込み固定金具を、固定リング式の綴込み金具とすることができる。
【００１８】
また本考案の抜き差し長孔を、バインダーに綴じ込まれる書類に直接設けることができる。
【考案の効果】
【００１９】
本考案のクリアファイルバインダーによれば、バインダーにクリアファイルが多数重ねて綴じ込まれている場合においても、バインダーの綴込み固定金具の開閉を必要とすることなくクリアファイルの抜き差しが容易にできる優れた効果を奏する。
【００２０】
また、本考案のクリアファイルバインダーによれば、綴じられているクリアファイル自体が、すでにインデックスを備えているため、保管しようとする書類に綴じ孔を開けたり、新たなインデックスを貼付したりすることなく即バインダーにファイリングすることができる優れた効果を奏する。
【００２１】
また、本考案のクリアファイルバインダーによれば、本考案のクリアファイルを単体の状態で既存の開閉金具式のバインダーに直接ファイリングすることができる優れた効果を奏する。
【図面の簡単な説明】
【００２２】
【図１】本考案のクリアファイルバインダーの全体概要を示す説明図ある。（実施例１）
【図２】本考案のクリアファイルバインダーの実施形態を示す説明図ある。（実施例２）
【図３】本考案のクリアファイルバインダーのクリアファイルの実施形態を示す説明図ある。（実施例３）
【図４】本考案のクリアファイルバインダーのクリアファイルの抜き差し長孔を示す拡大説明図ある。（実施例４）
【図５】本考案のクリアファイルバインダーにおけるクリアファイルのインデックスを示す説明図ある。（実施例５）
【図６】本考案のクリアファイルバインダーにおけるクリアファイルのインデックスを示す拡大説明図である。（実施例６）
【図７】本考案のクリアファイルバインダーにおける別の実施形態を示す説明図である。（実施例７）
【考案を実施するための形態】
【００２３】
本考案のクリアファイルバインダーは、綴込み固定金具を備えるバインダーと、抜き差し長孔を備えるクリアファイルと、から構成されるクリアファイルバインダーであって、前記バインダーは、表紙体に装着される底板と、クリアファイルの綴じ孔に挿入する少なくとも二以上設けた綴じ孔ロッドを備える側板と、を略コの字形に成型した綴込み固定金具を備えて成り、前記クリアファイルは、矩形の合成樹脂製のシートを中央折線位置で二つ折りにして下辺を熱溶着すると共に、上辺と両側の綴込み辺を開放して形成し、該綴込み辺領域には、前記綴込み固定金具の綴じ孔ロッドが挿入される抜き差し長孔を設け、さらに該周辺にはエンボス加工を施して形成し、前記抜き差し長孔の長孔経路幅を、綴じ孔の直径寸法に対して幅狭く形成すると共に、該綴じ孔の下方から綴込み辺の方向に向かってなだらかな曲線を描いて徐々に幅広に形成される開口口に連通した手段と、前記クリアファイルが、インデックス付きのクリアファイルであって、該インデックス付きのクリアファイルの中央折線位置で二つ折りされた一方のシートには、インデックスを形成する切り離される切り目を有する切り出し線と、中央折線位置で二つ折りにされる折り目と継ぎ目を有する折り出し線と、を中央折線位置に沿って連続して設けた手段を採ったことを最大の特徴とするもので、以下、実施例を図面を基に説明する。
【００２４】
また、本考案のバインダーならびにクリアファイルの形状は、下記に述べる実施例に特に限定されるものでなく、本考案の技術的思想に逸脱しない範囲で任意に変更することができる。
【実施例１】
【００２５】
図１は、本考案のクリアファイルバインダーの全体概要を示す説明図ある。
本考案のクリアファイルバインダー１は、クリアファイル２０が、バインダー１０の綴込み固定金具１１で綴じ込まれた状態で抜き差しすることができるものである。
【００２６】
図（a）は、バインダー１０からクリアファイル２０を抜き差し状態を示す説明図である。
本考案のクリアファイルバインダー１は、バインダー１０にクリアファイル２０が多数重ねて綴じ込まれている状態であっても、バインダー１０の綴込み固定金具１１で綴じられた状態でクリアファイル２０を容易に抜き差しすることができるものである。
【００２７】
図（ｂ）は、クリアファイル２０から書類Ｓを抜き差し状態を示す説明図である。
クリアファイルバインダー１は、書類Ｓをクリアファイル２０内に収納する際に、その収納される書類Ｓに綴じ孔２７を開けることなく収納することができるものである。
【実施例２】
【００２８】
図２は、本考案のクリアファイルバインダーの実施形態を示す説明図ある。
図（a）は、バインダー１０からクリアファイル２０を抜き差しする状態を示す説明図である。
バインダー１０は、表紙体Ｔに装着される綴込み固定金具１１を備え、綴込み辺領域Ｒに抜き差し長孔２６を有するクリアファイル２０を綴じ込むものである。
【００２９】
図（ｂ）は、綴込み固定金具１１の各部の名称を示す拡大説明図である。
綴込み固定金具１１は、バインダー１０の表紙体Ｔに装着される底板１２と、綴じ孔ロッド１４を備える側板１３とを略コの字形に成型して成り、該綴じ孔ロッド１４は、クリアファイル２０の綴じ孔２７に挿入できる側板１３の位置に少なくとも二以上設けて形成されている。
【００３０】
また綴込み固定金具１１は、従来の綴じ込み金具とは異なり、出し入れ用の機構を備えておらず、単に２本の綴じ孔ロッド１４が側板１３に固定されているものであり、その出し入れ手段は、クリアファイル２０の抜き差し長孔２６に係止して抜き差しするものである。
【００３１】
また綴込み固定金具１１は、薄手のバインダーの固定リング式の綴込み金具としてノートや手帳などに利用することもできる。
【実施例３】
【００３２】
図３は、本考案のクリアファイルバインダーのクリアファイルの実施形態を示す説明図ある。
図（a）は、クリアファイル２０が展開された状態を示す説明図である。
クリアファイル２０は、矩形の合成樹脂製シートを中央折線位置２２で二つ折りにして、下辺２３を熱溶着すると共に、上辺２４と両サイドの綴込み辺２５が開放されて形成されている。
【００３３】
綴込み辺領域Ｒは、綴込み固定金具１１の綴じ孔ロッド１４が挿入される抜き差し長孔２６が綴込み辺２５の中央位置に設けられると共に、エンボス加工Ｅが帯状に施されて抜き差し長孔２６の周辺を補強して形成される。また、綴込み辺領域Ｒを補強する別の手段としては、綴込み辺２５の端部を延長し、二重にして折り込み、さらにエンボス加工Ｅを帯状に施して圧着補強することも可能である。
【００３４】
抜き差し長孔２６は、長孔経路幅２８aを綴じ孔２７の直径寸法に対して幅狭く形成すると共に、該綴じ孔２７の下方から綴込み辺２５の方向に向かってなだらかな曲線を描いて徐々に幅広に形成される開口口２９に連通して形成している。それに対して従来のクリアファイル２０の切り込み孔（本考案の抜き差し長孔２６に相当）の構造は、綴込み辺２５の方向に向かって直線的に設けられるため、クリアファイル２０が不用意に外側に引っ張られて容易に脱落してしまうものであった。
【００３５】
また抜き差し長孔２６を綴じ込まれる書類Ｓに直接設けて、差し替え式のノートや手帳として利用することができる。
【００３６】
綴じ孔２７は、綴じ孔ロッド１４が挿入される孔で、長孔経路２８と交わる括れ部２７aで綴じ孔ロッド１４を係止する役割を果たしている。
【００３７】
長孔経路２８は、綴じ孔２７の直径寸法に対して長孔経路幅２８aを狭く設定し、該綴じ孔２７の下方から綴込み辺２５の方向に向かってなだらかな曲線を形成している。長孔経路幅２８aが、綴じ孔２７の直径寸法に対しての幅を狭く設定してあるのは、クリアファイル２０が傾いたとき、綴じ孔ロッド１４からクリアファイル２０の綴じ孔２７が簡単に脱落しないように括れ部２７aで係止するためである。
【００３８】
開口口２９は、抜き差し長孔２６に連通して徐々に幅広に形成されるもので、開口口２９が徐々に幅広に形成されていることによって、綴じ孔ロッド１４が挿入し易い形状と成り、さらにクリアファイル２０が複数重ねて綴じ込まれた状態であっても、自由に抜き差しすることができるものである。特に従来の開口口は、本考案の開口口２９と比べて極端に幅狭であるため、バインダー１０の綴込み金具が閉じた状態ならびにクリアファイル２０が複数重なり合った状態において抜き差しが容易にできない構造となっているものである。
【００３９】
図（ｂ）は、クリアファイル２０が綴じられた状態を示す説明図である。
バインダー１０にクリアファイル２０が多数重ねられて綴じられている状態であっても、本考案の抜き差し長孔２６の特有の形状よってバインダー１０の綴込み固定金具１１を固定した状態ならびにクリアファイル２０が複数重なり合った状態であってもクリアファイル２０を容易に抜き差しすることができると共に、クリアファイル２０を単体の状態で既存の開閉金具式のバインダーに直接ファイリングすることも可能である。
【実施例４】
【００４０】
図４は、本考案のクリアファイルバインダーのクリアファイルの抜き差し長孔を示す拡大説明図ある。
図（a）は、クリアファイル２０の抜き差し長孔２６を示す拡大説明図である。
本考案のクリアファイル２０の抜き差し長孔２６は、長孔経路幅２８aを綴じ孔２７の直径寸法に対して幅狭く形成すると共に、該綴じ孔２７の下方から綴込み辺２５の方向に向かってなだらかな曲線を描いて徐々に幅広に形成される開口口２９に連通して形成されている。
【００４１】
図（ｂ）は、バインダー１０にクリアファイル２０を差し込む手順を示す拡大説明図である。
（1）クリアファイル２０の抜き差し長孔２６の開口口２９を綴込み固定金具１１の綴じ孔ロッド１４の取り付け位置付近に移動させる。
（実際には既に綴込まれたクリアファイル２０が邪魔になって見えないため、差し込むクリアファイル２０の上辺２４と中央折線２２とを、既に綴じられているクリアファイル２０の上辺２４と中央折線２２を凡そ合わせて抜き差し長孔２６の開口口２９の位置を想定する。）
（2）抜き差し長孔２６の開口口２９を、挿入状態を探りながら綴じ孔ロッド１４に押し当てる。
（3）綴じ孔ロッド１４を抜き差し長孔２６の長孔経路２８に導く。
（4）綴じ孔ロッド１４を長孔経路２８の開口口２９から綴じ孔２７の下方に向かってなだらかな曲線に沿って上方に移動させる。（長孔経路２８が綴じ孔ロッド１４によって捲れ上がっている状態で移動）
（5）綴じ孔２７に綴じ孔ロッド１４を導く。
（6）綴じ孔ロッド１４は、綴じ孔２７に挿入され、括れ部２７aで係止される。
【００４２】
図（ｃ）は、バインダー１０からクリアファイル２０を抜き取る手順を示す拡大説明図である。
（1）クリアファイル２０の綴じ孔２７に挿入されている綴じ孔ロッド１４を下方に引っ張って、綴じ孔２７の下方の括れ部２７aで係止されている状態を解除する。
（2）綴じ孔ロッド１４を綴じ孔２７の下方から開口口２９の方向に向かってなだらかな曲線に沿って下方に移動させる。（長孔経路２８が綴じ孔ロッド１４によって捲れ上がっている状態で移動）
（3）綴じ孔ロッド１４を長孔経路２８の開口口２９まで移動させる。
（4）クリアファイル２０を綴じ孔ロッド１４から抜き取る。
【００４３】
以上のように、クリアファイル２０が複数重ねて綴じ込まれた状態であっても、バインダー１０からクリアファイル２０を容易に抜き差しすることができるものである。
【実施例５】
【００４４】
図５は、本考案のクリアファイルバインダーにおけるクリアファイルのインデックスを示す説明図ある。
図（a）は、クリアファイル２０が二つ折りにされた中央折線位置２２にインデックス３０が設けられる領域を示す説明図である。
本考案のクリアファイル２０の中央折線位置２２で二つ折りされた一方のシート２１には、インデックス３０を形成する切り離される切り目３１aを有する切り出し線３１と、二つ折りにされる折れ目３２aと、継ぎ目３２ｂを有する折り出し線３２が形成されている。
【００４５】
インデックス３０は、切り離される切り目３１aを有する切り出し線３１によって、中央折線位置２２の二つ折りされた一方のシート２１の中央折線位置２２に沿って連続して設けられる。
【００４６】
切り出し線３１は、インデックス３０の形状を形成する切り離される切り目３１aによって形成されるもので、切り離される切り目３１aによって切り出されることでインデックス３０付きのクリアファイル２０とすることができる。
【００４７】
折り出し線３２は、二つ折りにされる折れ目３２aを折り出すことによってインデックス３０を必要に応じてクリアファイル２０から折り出すことができるもので、継ぎ目３２ｂの狭い連結部を折り出すことによって折り癖のないインデックス３０を折り出すことができる。
【００４８】
図（ｂ）は、クリアファイル２０の二つ折りされた中央折線位置２２を示す拡大説明図である。
インデックス３０を形成する切り離される切り目３１aを有する切り出し線３１は、インデックス３０を形成するに当たって切り離される目的で形成される。
【００４９】
以上のように、切り離される切り目３１aを有する切り出し線３１によってインデックス３０が形成されて切り離されるものであって、定規やナイフ、ハサミなどの道具を必要とすることなくインデックス３０を容易に切り出すことができるものである。
【実施例６】
【００５０】
図６は、本考案のクリアファイルバインダーにおけるクリアファイルのインデックスを示す拡大説明図である。
図（a）は、クリアファイル２０の中央折線位置２２の切り出し線３１と折り出し線３２を示す拡大説明図である。
インデックス３０は、上記の実施例５の切り出された状態から二つ折りにされる折れ目３２aと、継ぎ目３２ｂを有する折り出し線３２によって平坦に折り曲げられてクリアファイル２０の中央折線位置２２に突設して形成される。
【００５１】
図（b）は、クリアファイル２０の中央折線位置２２の折り出し線３２を示す拡大説明図である。
折り出し線３２の二つ折りにされる折れ目３２aと、継ぎ目３２ｂは、切り出されることなく中央折線位置２２に沿って折り出されるもので、インデックス３０とシート２１は狭い継ぎ目３２ｂによって連結されているため、その狭い継ぎ目３２ｂを折り曲げることによって折曲癖がない平坦な状態でクリアファイル２０の中央折線位置２２に突設することができるものである。
【００５２】
図（ｃ）は、インデックス付クリアファイルのインデックス３０を示す拡大説明図である。
インデックス３０の表面には、インデックス紙Ｄ又は接着シールＨ又はペイントＰを施して筆記具で書き込み可能とすることもできる。
【００５３】
以上のように、本考案のクリアファイル２０の二つ折りにされる折れ目３２aと、継ぎ目３２ｂを有する折り出し線３２は、インデックス３０を形成する狭い継ぎ目３２ｂが折り出されることにより、外観的にも折曲癖がない上、美しく且つ丈夫なインデックス３０が突設されるもので、従来にないインデックスの折り出し方法を形成するものである。
【実施例７】
【００５４】
図７は、本考案のクリアファイルバインダーにおける別の実施形態を示す説明図である。
図（a）は、薄手表紙のバインダーを示し、図（b）は、携帯用手帳バインダーを示す。
本考案のクリアファイルバインダー１は、図示するような薄手表紙のバインダーや、携帯用、ノート用、資料用などのクリアファイルバインダーとしてや、プリンターで出力したデジタルフォトアルバムとしても広く利用できるものである。
【産業上の利用可能性】
【００５５】
本考案のクリアファイルバインダーは、事務用のクリアファイルを実施例をもって説明しているが、図７で示すような書類やクリアファイルに抜き差し長孔を設けた携帯用手帳バインダーとしてや、差し替え自由なデジタルフォトアルバムとしても広く利用できることから、本考案におけるクリアファイルバインダーの産業上の利用可能性は大とするものと解する。
【符号の説明】
【００５６】
１    クリアファイルバインダー
１０  バインダー
１１  綴込み固定金具
１２  底板
１３  側板
１４  綴じ孔ロッド
２０  クリアファイル
２１  シート
２２  中央折線位置
２３  下辺
２４  上辺
２５  綴込み辺
２６  抜き差し長孔
２７  綴じ孔
２７a括れ部
２８  長孔経路
２８a長孔経路幅
２９  開口口
３０  インデックス
３１  切り出し線
３１a切れ目
３２  折り出し線
３２a折れ目
３２ｂ継ぎ目
３３  指掛け凹部
Ｒ    綴込み辺領域
Ｅ    エンボス加工
Ｓ    書類
Ｔ    表紙体
Ｄ    インデックス紙
Ｈ    接着シール
Ｐ    ペイント
【図１】
0003167565.tif 000003
【図２】
0003167565.tif 000004
【図３】
0003167565.tif 000005
【図４】
0003167565.tif 000006
【図５】
0003167565.tif 000007
【図６】
0003167565.tif 000008
【図７】
0003167565.tif 000009